(57)【特許請求の範囲】
【請求項１】
衣類を収容する筒状のドラムと、
前記ドラム内の空気の給排気を行う給排気手段と、
前記給排気手段によってドラム内へ供給される空気を加熱する加熱手段と、
前記ドラムの正逆回転を繰り返しつつ、加熱手段によって加熱された空気を温風として前記ドラム内の下域へ向けて送り込む乾燥運転を実行する制御手段とを備え、
前記制御手段は、前記乾燥運転の実行中、ドラムの反転指示がなされると、加熱手段による空気の加熱を停止させた後にドラムの回転を一時停止させ、ドラムを反転させる制御構成と、前記反転指示がなされた後、ドラムの回転が検知されてから加熱手段による空気の加熱を再開させる制御構成とを有する、衣類乾燥機。
【請求項２】
請求項１に記載の衣類乾燥機において、
前記制御手段は、前記乾燥運転の実行中、前記ドラムの反転指示がなされると、給排気手段によるドラム内への空気の供給を維持しつつ、加熱手段による空気の加熱を停止させる制御構成を有する、衣類乾燥機。
【請求項３】
衣類を収容する筒状のドラムと、
前記ドラム内の空気の給排気を行う給排気手段と、
前記給排気手段によってドラム内へ供給される空気を加熱する加熱手段と、
前記ドラムの正逆回転を繰り返しつつ、加熱手段によって加熱された空気を温風として前記ドラム内の下域へ向けて送り込む乾燥運転を実行する制御手段とを備え、
前記制御手段は、前記乾燥運転の実行中、ドラムの反転指示がなされると、給排気手段によるドラム内への空気の供給を維持しつつ、加熱手段による空気の加熱を停止させた後、ドラムの回転を一時停止させ、ドラムを反転させる制御構成を有する、衣類乾燥機。
【発明の詳細な説明】
【技術分野】
【０００１】
本発明は、衣類乾燥機、特に、回転ドラム式の衣類乾燥機に関するものである。
【背景技術】
【０００２】
回転ドラム式の衣類乾燥機において、ドラムを一定方向へ継続的に回転させながらその内部へ温風を送り込み、衣類の乾燥を行う場合、回転するドラム内で衣類も一定方向へ固まって転動し続けるため、ドラムの内周面やバッフルに対してその衣類表面の一部の箇所が集中的に接触し、不要な傷みを与えてしまう虞がある。この問題に対処するため、従来、乾燥運転中にドラムの回転を間欠的に停止させ、ドラムの内周面やバッフルに対する衣類の動的な接触時間の低減を図ったものが提案されている（例えば、特許文献１および２参照）。
【先行技術文献】
【特許文献】
【０００３】
【特許文献１】特開昭６３−９５１００号公報
【特許文献２】特開平６−７５９３号公報
【発明の概要】
【発明が解決しようとする課題】
【０００４】
ところが、上述のような間欠運転を行う衣類乾燥機では、ドラムの回転が停止されている間も温風をドラム内へ供給しているから、ドラムの回転停止によって衣類がドラム内の底部に固まると、その底部に停滞した衣類の一部の箇所へ温風が当たり続け、局所的な熱負荷により衣類の傷みを招く虞がある。
【０００５】
特に、乾燥運転中にドラムの回転を正方向から逆方向、逆方向から正方向へと反転を繰り返すものでは、その反転時にも一時的にドラムの回転が停止する時間があるため、その回転が停止している間に衣類の一部の箇所へ温風が当たり続け、局所的な熱負荷が一層加わり易い。
【０００６】
本発明は、上述の事情に鑑みてなされたものであり、その目的は、回転ドラム式の衣類乾燥機において、乾燥運転中の衣類の傷みを抑制することにある。
【課題を解決するための手段】
【０００７】
本発明に係る衣類乾燥機は、衣類を収容する筒状のドラムと、前記ドラム内の空気の給排気を行う給排気手段と、前記給排気手段によってドラム内へ供給される空気を加熱する加熱手段と、前記ドラムの正逆回転を繰り返しつつ、加熱手段によって加熱された空気を温風として前記ドラム内の下域へ向けて送り込む乾燥運転を実行する制御手段とを備え、前記制御手段は、前記乾燥運転の実行中、ドラムの反転指示がなされると、加熱手段による空気の加熱を停止させた後にドラムの回転を一時停止させ、ドラムを反転させる制御構成と、前記反転指示がなされた後、ドラムの回転が検知されてから加熱手段による空気の加熱を再開させる制御構成とを有する。
【０００８】
上記衣類乾燥機によれば、ドラムを反転させるにあたって、ドラムの回転を一時停止させる前にドラム内へ送り込む空気の加熱を停止させるから、ドラムの回転を一時停止させてから反転させるまでの間、ドラム内の底部に停滞している衣類に対して、高温の温風が当たり続けるのを確実に防止できる。従って、その間、衣類に対して局所的な熱負荷が加わり難い。
【００１０】
特に、このものでは、乾燥運転中、ドラムの反転が検知された後、即ち、衣類が攪拌され始めた状態で、ドラム内へ送り込む空気の加熱を再開させるから、ドラムの回転を一時停止させている間や、異常によりドラムが回転していない場合に、ドラム内の底部に停滞している衣類に対して、高温の温風が当たるのをより確実に防止できる。従って、その間、衣類に対する局所的な熱負荷が一層加わり難い。
【００１１】
上記衣類乾燥機において、好ましくは、前記制御手段は、前記乾燥運転の実行中、前記ドラムの反転指示がなされると、給排気手段によるドラム内への空気の供給を維持しつつ、加熱手段による空気の加熱を停止させる制御構成を有する。
或いは、衣類を収容する筒状のドラムと、前記ドラム内の空気の給排気を行う給排気手段と、前記給排気手段によってドラム内へ供給される空気を加熱する加熱手段と、前記ドラムの正逆回転を繰り返しつつ、加熱手段によって加熱された空気を温風として前記ドラム内の下域へ向けて送り込む乾燥運転を実行する制御手段とを備えた衣類乾燥機であって、前記制御手段は、前記乾燥運転の実行中、ドラムの反転指示がなされると、給排気手段によるドラム内への空気の供給を維持しつつ、加熱手段による空気の加熱を停止させた後、ドラムの回転を一時停止させ、ドラムを反転させる制御構成を有する。
【００１２】
このものでは、ドラムを反転させるにあたって、ドラム内への空気の供給を継続させたままその空気の加熱を停止させるから、加熱手段からドラム内へ繋がる通路内に高温の空気が残留していても、その残留する高温の空気は、ドラムの回転が停止する前に積極的に排出される。これにより、ドラムの回転を一時停止させてから反転させるまでの間、ドラム内の底部に停滞している衣類に対して、高温の温風が当たり続けるのをより確実に防止できる。よって、その間、衣類に対して局所的な熱負荷がより一層加わり難い。
【発明の効果】
【００１３】
以上のように、本発明によれば、乾燥運転中、衣類に局所的な熱負荷が加わり難いから、衣類の傷みを効果的に抑制できる。
【図面の簡単な説明】
【００１４】
【図１】図１は、本発明の実施の形態に係る衣類乾燥機の側面視概略縦断面図である。
【図２】図２は、本発明の実施の形態に係る衣類乾燥機の正面視概略縦断面図である。
【図３】図３は、本発明の実施の形態に係る衣類乾燥機の乾燥運転動作を示す作動フローチャートである。
【発明を実施するための形態】
【００１５】
次に、上記した本発明を実施するための形態について、添付図面を参照しながら詳述する。
【００１６】
図１に示すように、本発明の実施の形態に係る衣類乾燥機１は、矩形箱状の本体ケース１１と、本体ケース１１の正面に開設された衣類取出口１１０をその正面側から被蓋する扉１２とでその外郭が構成されている。
【００１７】
本体ケース１１内には、その正面側に円形状の開口部１３０を有する円筒状のドラム１３が横向き姿勢で収容されている。一方、衣類取出口１１０のドラム１３側の外周縁には、円環状のリング板１４が突設されており、ドラム１３の開口部１３０の内周は、このリング板１４の外周に支持されている。また、リング板１４の後面下方位置には、ドラム１３内に収容された衣類Ｍの乾燥状態をその導通抵抗に基づいて検知する電極センサ２４が設けられている。
【００１８】
ドラム１３の奥部には、胴部１３１の後端からさらに後方へ向かって膨出する円形状の凹部１３２が形成されている。また、ドラム１３の奥壁にあたるこの凹部１３２の奥壁１３３の中央部には、円筒状の支軸１５が回動可能な状態で取り付けられている。一方、本体ケース１１内のドラム１３の後方には、ドラム支持壁１１１が立設されており、上記支軸１５の後端部は、このドラム支持壁１１１に固定されている。
【００１９】
図１および図２に示すように、ドラム１３の胴部１３１の内周面には、衣類Ｍをドラム１３の回転方向へ持ち上げ、攪拌するためのバッフル１３８が複数突設されている。また、ドラム１３の胴部１３１の外周には、伝動ベルト１６０が巻装されており、さらにその伝動ベルト１６０は、本体ケース１１内に組み込まれたドラムモータ１６に繋がっている。ドラム１３は、このドラムモータ１６の駆動力によって支軸１５を中心に回動される。
【００２０】
ドラム１３の後部で且つ凹部１３２の外周面より外側の位置には、ドラム１３の回転状態を検知するための磁石３１が一つ取り付けられている。一方、ドラム支持壁１１１の前面側には、上記磁石３１が近接するとオン状態になり、離れるとオフ状態になるリードスイッチ（以下、「回転センサ」という）３２が設けられている。
【００２１】
図１に示すように、ドラム支持壁１１１の後面側には、図示しない給気口から本体ケース１１内へ取り込まれる室内空気や後述するバーナユニット１８から放出された燃焼ガスをドラム１３内へ送り込むための温風ダクト１７が配設されている。
【００２２】
温風ダクト１７は、ドラム支持壁１１１の後面上部から下方へ向かって延設されており、その下端部には、後述する給排気ファン２２によってドラム１３内へ取り込まれる室内空気を加熱する加熱手段としてバーナユニット１８が組み込まれている。
【００２３】
バーナユニット１８は、図示しないガスバーナや弁装置等で構成されており、その弁装置の比例弁が開放されると、所定量のガスを、ベンチュリ効果によってバーナユニット１８の周辺へ導かれる空気と共にガスバーナ内へ送り込み、さらにそのガスバーナの炎孔上方で着火させ、その燃焼ガスを温風ダクト１７内へ放出する。
【００２４】
温風ダクト１７の前面上部に設けられたガス出口１７０は、ドラム支持壁１１１の上部に設けられたダクト接続孔１１２を介してドラム支持壁１１１とドラム１３の奥壁１３３との間隙（以下、「奥壁裏通路」という）１０１に繋がっており、本体ケース１１内へ取り込まれる室内空気やバーナユニット１８から温風ダクト１７へ放出される燃焼ガスは、このガス出口１７０を通って奥壁裏通路１０１へ送り込まれる。
【００２５】
奥壁１３３の前面部外周には、その略全周に亘って複数の小円孔（以下、「温風入口」という）１３５が穿設されており、奥壁裏通路１０１は、これら温風入口１３５を介してドラム１３の奥壁１３３と後述するカバー板１５３との間隙（以下、「カバー裏通路」という）１０２に繋がっている。
【００２６】
支軸１５の前端部には、その外周方向へ広がる略円板状の固定フランジ１５２が固設されており、さらにこの固定フランジ１５２の前面には、奥壁１３３の前面の略全体をドラム１３の内側から覆う円板状のカバー板１５３が固設されている。奥壁裏通路１０１へ送り込まれる室内空気や燃焼ガスは、上記温風入口１３５を通ってこのカバー板１５３と奥壁１３３との間に設けられたカバー裏通路１０２へ導かれる。
【００２７】
図１および図２に示すように、カバー板１５３の前面部外周の下方位置には、複数の小円孔（以下、「温風吹出口」という）１５０が穿設されており、カバー裏通路１０２は、これら温風吹出口１５０を介してドラム１３の内部空間に繋がっている。
【００２８】
図１に示すように、扉１２の内側（衣類取出口１１０側）には、扉１２が閉じられた状態において衣類取出口１１０に嵌挿される円形台状の前蓋部１２０が形成されており、さらにその前蓋部１２０の中央には、複数の小円孔（以下、「温風排出口」という）１２１を有するフィルタカバー１２２が着脱可能な状態で取り付けられている。
【００２９】
温風排出口１２１は、フィルタカバー１２２の内側に取り付けられたエアフィルタ１２３を介して前蓋部１２０の内部空間１０３へ繋がっている。また、前蓋部１２０の外周上部には、扉１２が閉じられた状態において、衣類取出口１１０の内周上部に開設された排気入口１１４に連通する連結口１２４が開設されている。
【００３０】
本体ケース１１内におけるドラム１３の上方位置には、上記前蓋部１２０の内部空間１０３と本体ケース１１の外部とを繋ぐ排気ダクト２１が形成されている。この排気ダクト２１は、一端側が上記排気入口１１４に繋がり、他端側が本体ケース１１の上面に開設された排気出口１１５に繋がっている。
【００３１】
排気ダクト２１の中間部には、本体ケース１１内へ室内空気を取り込み、さらにその室内空気やバーナユニット１８から放出された燃焼ガスをドラム１３内へ導き、排気ダクト２１を通じて本体ケース１１の外部へ排出させる給排気手段として給排気ファン２２が組み込まれている。この給排気ファン２２は、ファンモータ２３に接続されており、このファンモータ２３の駆動力によって回動される。また、排気ダクト２１の下流側で且つ排気出口１１５の近傍には、ドラム１３内から排出される空気の温度を検知するための排気温センサ２５が設けられている。
【００３２】
上記ドラムモータ１６やバーナユニット１８の弁装置、ファンモータ２３、電極センサ２４、排気温センサ２５、回転センサ３２は、本体ケース１１内に組み込まれた制御回路４０に電気配線を通じて接続されている。
【００３３】
制御回路４０は、ドラム１３の回転や停止を行うドラム作動回路、給排気ファン２２の回転や停止を行うファン作動回路、上記ガスバーナの点火や消火を行う点消火回路、上記比例弁の開度を調整する火力調整回路、ドラム１３の反転動作を指示する反転指示回路、回転センサ３２のオンに合わせて出力されるパルスを検知し、ドラム１３の回転状態を判定する回転判定回路、後述する待機時間や位置補正時間等の各経過時間を計測するタイマ回路、衣類Ｍの乾燥状態に基づいて乾燥運転の終了時期を判定する乾燥判定回路、ドラム１３の回転異常を図示しないスピーカや表示部に報知させる異常報知回路等によって構成されており、これら各回路によって衣類Ｍの乾燥運転が行われる。
【００３４】
次に、上記制御回路４０による衣類乾燥機１の乾燥運転動作を、図３の作動フローチャートに従って説明する。
【００３５】
ドラム１３内に衣類Ｍが投入され、乾燥運転の開始操作がなされると、ファンモータ２３を駆動して給排気ファン２２を回転させるとともに、ドラムモータ１６を駆動してドラム１３を正方向へ回転させ、さらにバーナユニット１８のガスバーナを点火する。すると、本体ケース１１内の空気がバーナユニット１８から放出された燃焼ガスによって所定温度（例えば、１５０℃）まで加熱されつつ、その燃焼ガスと共に温風ダクト１７内へ導かれ、さらに奥壁裏通路１０１を通ってカバー裏通路１０２へ導かれ、温風として温風吹出口１５０からドラム１３内の下域（底部周辺）へ向けて送り出される。そして、そのドラム１３内へ供給された燃焼ガスや高温の空気は、衣類Ｍの水分を蒸発させつつ扉１１の内側の温風排出口１２１から前蓋部１２０の内部空間１０３へ排出され、さらに排気ダクト２１を通って排気出口１１５から本体ケース１１の外部へ排出される。その結果、衣類Ｍは、回転するドラム１３内で攪拌されながら、次第に乾燥していく（ＳＴ１）。
【００３６】
また、上記ガスバーナが点火された後、ドラム１３を現在の回転方向と逆方向へ回転させる反転指示がなされたか否かを判定する。尚、本実施の形態では、運転モードに応じて設定された間隔で反転指示がなされる（ＳＴ２）。
【００３７】
その結果、ドラム１３の反転指示がなされていなければ（ＳＴ２のステップでＮｏ）、後述する乾燥運転の終了時期の判定（ＳＴ１３のステップ）を行い、反転指示がなされた場合（ＳＴ２のステップでＹｅｓ）には、その時点でバーナユニット１８に組み込まれた比例弁を閉じてガスバーナを消火させ、空気の加熱を停止させる。このとき、ドラム１３および給排気ファン２２は共に回転状態で維持される（ＳＴ３）。
【００３８】
そして、上記加熱を停止させた時点から所定の待機時間（ここでは、５秒）が経過したか否かの監視を開始し、上記待機時間が経過すれば、回転センサ３２のオンを示す回転パルスが１回検知されてから所定の位置補正時間（ここでは、０．０５秒）が経過するのを待ってドラムモータ１６を停止し、ドラム１３の回転を停止させる。このとき、給排気ファン２２は回転状態で維持される。即ち、本実施の形態では、待機時間、待機時間が経過してから回転パルスが１回検知されるまでに要する時間、および、位置補正時間を合わせた所定時間の経過後にドラム１３の回転を停止させる（ＳＴ４〜ＳＴ７）。
【００３９】
尚、上記待機時間は、バーナユニット１８によって加熱された温風ダクト１７内の高温の空気がドラム１３内へ送り出されるまでに要する時間と略同一に設定されている。また、上記位置補正時間は、ドラム１３が正常に回転している状態において、回転センサ３２がオン状態からオフ状態になるまでに要する時間と略同一に設定されている。
【００４０】
そして、ＳＴ７のステップにてドラム１３の回転を停止させてから一定時間（ここでは、０．５秒）が経過すれば、ドラムモータ１６を再駆動するとともに、そのドラムモータ１６を再駆動させてから所定の異常判定時間（ここでは、１０秒）が経過するまでの間に、回転パルスが所定回（ここでは、３回）検知されたか否かの監視を開始する（ＳＴ８〜ＳＴ１１）。
【００４１】
そして、上記異常判定時間が経過する前に回転パルスが所定回検知された場合（ＳＴ１０のステップでＹｅｓ）は、ドラム１３が正常に回転しているとして、バーナユニット１８に組み込まれた比例弁を閉じる前の開度に戻してガスバーナを再点火させ、空気の加熱を再開させた上で、乾燥運転の終了時期に達したか否か、即ち、衣類Ｍが最適な乾燥状態になったか否かの判定を行う。尚、本実施の形態では、電極センサ２４の導通抵抗および排気温センサ２５の検知温度に基づいて衣類Ｍが最適な乾燥状態になったか否かが判定される（ＳＴ１２〜ＳＴ１３）。
【００４２】
このように、衣類Ｍが最適な乾燥状態になるまでの間、ドラム１３の反転指示がなされる毎に上述したＳＴ３からＳＴ１３のステップが繰り返され、その後、衣類Ｍが最適な乾燥状態になれば（ＳＴ１３のステップでＹｅｓ）、バーナユニット１８に組み込まれた比例弁を閉じてガスバーナを消火した後、ドラムモータ１６およびファンモータ２３を停止して給排気ファン２２およびドラム１３の回転をそれぞれ停止させ、乾燥運転を終了する（ＳＴ１４）。
【００４３】
一方、ドラムモータ１６を再駆動させてから異常判定時間が経過するまでの間に回転パルスが所定回検知されなかった場合（ＳＴ１１のステップでＹｅｓ）は、ドラム１３が正常に回転していない異常状態であるとして、その旨をスピーカや表示部にて報知させた上で、ガスバーナの消火、給排気ファン２２およびドラム１３の回転停止動作を行い、乾燥運転を終了させる（ＳＴ１５）。
【００４４】
上記実施の形態によれば、乾燥運転中、ドラム１３を反転させるにあたって、ドラム１３の回転を一時停止させる所定時間前に、ドラム１３内へ送り込む空気の加熱を停止させるから、ドラム１３を一時停止させてから反転させるまでの間に、その底部に停滞する衣類Ｍに対して高温の温風が当たり続けるのを確実に防止できる。また、バーナユニット１８からドラム１３内へ繋がる通路（温風ダクト１７、奥壁裏通路１０１、および、カバー裏通路１０２）内に残留する高温の空気も、上記所定時間が経過するまでにドラム１３の外部へ排出されるから、衣類Ｍに高温の温風が当たり続けるのをより確実に防止できる。従って、その間、衣類Ｍに対して局所的な熱負荷が加わり難く、乾燥運転時の衣類Ｍの傷みを効果的に抑制できる。
【００４５】
特に、このものでは、ドラム１３を反転させるにあたって、ドラム１３内への空気の供給を継続させたままその空気の加熱を停止させるから、上記通路内に高温の空気が残留していても、その残留する高温の空気は、ドラム１３の回転が停止する前に積極的に排出される。これにより、ドラム１３の回転を一時停止させてから反転させるまでの間、ドラム１３内の底部に停滞している衣類Ｍに対して、高温の温風が当たり続けるのをより確実に防止できる。よって、その間、衣類Ｍに対して局所的な熱負荷がより一層加わり難く、乾燥運転時の衣類Ｍの傷みをより効果的に抑制できる。
【００４６】
しかも、ドラム１３の一時停止と反転とを繰り返すことで、ドラム１３内で衣類Ｍが一定方向へ継続的に固まって転動しないで、満遍なく攪拌されるから、ドラム１３の内周面やバッフル１３８に対して衣類Ｍの一部の箇所が集中的に接触し難い。これにより、乾燥運転時の衣類Ｍの傷みを一層抑制できる。
【００４７】
また、ドラム１３の反転が正常になされたのを確認した後、即ち、衣類Ｍが攪拌され始めた状態で、ドラム１３内へ送り込む空気の加熱を再開させるから、ドラム１３の回転を一時停止させている間や、異常によりドラム１３が回転していない場合に、そのドラム１３内の底部に停滞している衣類Ｍに対して、高温の温風が当たるのをより確実に防止できる。従って、衣類Ｍに対して局所的な熱負荷が一層加わり難く、乾燥運転時の衣類Ｍの傷みをより効果的に抑制できる。
【００４８】
また、衣類Ｍの加熱を停止させてから回転パルスが１回検知された直後にドラム１３の回転を停止させるから、次にドラムモータ１６を再駆動させた際、ドラム１３が正常に回転すればその直後に回転パルスを検知できる。従って、その分、異常判定時間を短く設定することが可能である。これにより、ドラム１３の回転異常を早期に検知できるし、乾燥運転全体の動作時間も短縮できる。
【００４９】
尚、上記実施の形態では、ドラム１３の反転指示がなされた場合、バーナユニット１８に組み込まれた比例弁を閉じてガスバーナを消火させ、空気の加熱を停止させるように構成されているが、ドラム１３の反転指示がなされた時点で、上記比例弁を所定の開度まで絞ってガスバーナの燃焼量を低下させ、衣類Ｍに傷みを与えない温度（例えば、１０５℃以下）にまで空気の加熱度合を減少させるように構成しても良い。
【００５０】
また、上記実施の形態では、空気の加熱度合を減少させた時点から所定の待機時間が経過し、さらに回転パルスが１回検知されてから所定の位置補正時間が経過するのを待って、ドラム１３の回転を停止させるように構成されている（ＳＴ３〜ＳＴ７のステップ）が、空気の加熱度合を減少させてから所定の待機時間が経過した時点でドラム１３の回転を停止させるように構成しても良い。
【００５１】
さらに、上記実施の形態では、ドラム１３の後部に設けた一つの磁石３１が異常判定時間内に回転センサ３２へ近接した回数（回転パルスの検知回数）に基づいてドラム１３の回転異常を判定するように構成されているが、ドラム１３の後部で且つ凹部１３２の外周面より外側の位置に複数個（例えば、６個）の磁石３１を等間隔で周設し、それら磁石３１が異常判定時間内に回転センサ３２へ近接した回数に基づいてドラム１３の回転異常を判定するように構成しても良い。これによれば、ドラム１３が正常に回転している際の回転センサ３２のオン間隔（回転パルスを１回検知してから次の回転パルスが検知されるまでに要する時間）が短いから、その分、異常判定時間を短く設定することが可能である。これにより、ドラム１３の回転異常を早期に検知できるし、乾燥運転全体の動作時間も短縮できる。
【００５２】
また、上記実施の形態では、ドラム１３を反転させるにあたって、ドラム１３内への空気の供給を継続させたままその空気の加熱を停止させるように構成されているが、バーナユニット１８による空気の加熱を停止させると同時に給排気ファン２２の回転も停止させ、上記通路内に残留する高温の空気が温風吹出口１５０からドラム１３内へ送り出されなくなるまで所定時間待ってから、ドラム１３の回転を一時停止させ、さらに反転させるように構成しても良い。
【００５３】
また、上記実施の形態では、ドラム１３と給排気ファン２２とをそれぞれ独立したモータで回転させる構成の衣類乾燥機を例示的に説明したが、本発明は、ドラム１３および給排気ファン２２を共通のモータで回転させる衣類乾燥機にも適用できる。但し、この共通のモータでドラム１３および給排気ファン２２を回転させる衣類乾燥機の場合、上記ＳＴ７のステップでは、ドラム１３の回転を停止させた時点で給排気ファン２２の回転も停止され、上記ＳＴ９のステップでは、ドラム１３の回転を再開させた時点で給排気ファン２２の回転も再開される。
【符号の説明】
【００５４】
１・・・衣類乾燥機
１３・・・ドラム
１５０・・・温風吹出口
１８・・・バーナユニット（加熱手段）
２２・・・給排気ファン（給排気手段）
３１・・・磁石
３２・・・回転センサ
４０・・・制御回路
Ｍ・・・衣類
【図１】
0005651623.tif 000002
【図２】
0005651623.tif 000003
【図３】
0005651623.tif 000004